(57)【特許請求の範囲】
【請求項１】
一段目揚液パイプは、一端部開放で前記一端部開放側に逆止弁を有し、他端部密閉で、前記他端部側に吸引ポンプと開放弁を有し、前記一段目揚液パイプは、液槽の中に前記一端部開放側を下にして立て、二段目以降の揚液パイプは、一端部開放で前記一端部開放側に逆止弁を有し、他端部密閉で、前記他端部側に吸引圧入ポンプと開放弁を有し、前段揚液パイプの中に前記一端部開放側を下にして立て、前記一段目揚液パイプの前記吸引ポンプを起動させ、前記一段目揚液パイプの空気を吸引し、前記一段目揚液パイプの中が真空に近く成り、大気と比較し、負圧となり、前記逆止弁が、開状態になり、前記液槽の液が吸い上げられ、前記一段目揚液パイプが、満管に近づき、前記吸引ポンプを停止させ、前記開放弁を開き、前記一段目揚液パイプの中に空気を引込み、前記液が、下がり始め前記逆止弁が、閉と成り、前記液は、下がるのを止め、前記開放弁を閉じ、二段目揚液パイプの吸引圧入ポンプを起動させ、前記二段目揚液パイプの空気を吸引し、前記吸引した空気を前記一段目揚液パイプの上部に圧入し、前記二段目揚液パイプの中が真空に近く成り、大気と比較し、負圧となり、前記逆止弁が、開状態になり、前記液が吸い上げられ、前記二段目揚液パイプが、満管に近づき、前記吸引圧入ポンプを停止させ、前記開放弁を開き、前記二段目揚液パイプの中に空気を引込み、前記液が、少し下がり、前記逆止弁が、閉と成り、前記開放弁を閉じ、三段目以降も同じ動きを繰り返し、前記液を高所へ移送する事を特徴とする
液体を高所へ移送する、省エネシステム
【発明の詳細な説明】
【技術分野】
【０００１】
近年、原子力発電の神話が揺らぎ、電力不足に陥り、節電の重要性と、必然性
が叫ばれています。最近は、企業のみならず、一般家庭でも、節電への協力、
努力が、不可欠と成って来ています。太陽光発電や照明のLED化等、いろんな
形で節電が実施されています。
【０００２】
電力不足を補う為に、休止中の火力発電所を再稼働させたりしていますが、
燃料代が高い為に、電力会社の採算を悪くし、電気料金値上げなどの声も上がって来ています。節電を如何に進めるかが、企業の生命線になっています。
【０００３】
工場やビル等の液体の移送に対して、省エネが、出来る方法を見つける事が課題です。
【背景技術】
【０００４】
特開平5-196000に、移送装置が、述べられています。      
【０００５】
特開平11-236900に、移送装置が、述べられています。
【先行技術文献】
【特許文献】
【０００６】
【特許文献１】特開平5-196000
【特許文献２】特開平11-236900
【発明の概要】
【発明が解決しようとする課題】
【０００７】
液体の移送は、ポンプで圧送する方法が、主流です。ポンプ以外で、液体を高所へ移送する方法を開発する事を課題とします。
【課題を解決するための手段】
【０００８】
大気圧の中で、液槽の中に片面が開放で他面が密閉の揚液パイプを開放側が、液槽側になる様に立てます。開放側に逆止弁を取り付けます。密閉側に真空ポンプと開放弁を取付け、真空ポンプで揚液パイプ内の空気を吸引します。揚液パイプ内の空気が真空に近くなり、液槽面の大気圧に対して、負圧に成り逆止弁を開にし、液がパイプの中を吸い上げられ上部に移送します。液が揚液パイプの上部まで到達したら開放弁を開けて空気を取り込みます。揚液パイプ上部の液は、下に落ちますが、少し落ちたところで、逆止弁が動作し閉となり、液は、止まります。揚液パイプ上部の大気の圧力は、大気圧と同圧に成ります。
【０００９】
一段目揚液パイプは、一端部開放で前記一端部開放側に逆止弁を有し、他端部密閉で、前記他端部側に開放弁と吸引ポンプを有し、前記一段目揚液パイプは、液槽の中に前記一端部開放側を下にして立て、二段目以降の揚液パイプは、一端部開放で前記一端部開放側に逆止弁を有し、他端部密閉で、前記他端部側に開放弁と吸引圧入ポンプを有し、前段揚液パイプの中に前記一端部開放側を下にして立て、周囲を密閉します。一段目揚液パイプの前記吸引ポンプを起動させ、前記一段目揚液パイプの空気を吸引し、前記一段目揚液パイプの中が真空に近く成り、大気と比較し、負圧となり、前記逆止弁が、開状態になり、前記液槽の液が吸い上げられ、前記一段目揚液パイプが、満管に近づき、前記吸引ポンプを停止させ、前記開放弁を開き、前記一段目揚液パイプの中に空気を引込み、前記液が、下がり初め前記逆止弁が、閉と成り、前記液は、下がるのを止め、前記開放弁を閉じ、二段目揚液パイプの前記吸引圧入ポンプを起動させ、前記二段目揚液パイプの空気を吸引し、前記二段目揚液パイプの中が真空に近く成り、大気と比較し、負圧となり、前記逆止弁が、開状態になり、前記液が吸い上げられ、前記二段目揚液パイプが、満管に近づき、前記吸引圧入ポンプを停止させ、前記開放弁を開き、前記二段目揚液パイプの中に空気を引込み、前記液が、少し下がり、前記逆止弁が、閉と成り、前記開放弁を閉じ、三段目以降も同じ動きを繰り返し、前記液を高所へ移送します。
【００１０】
本システムは、揚液パイプの中の空気を抜き、真空に近づけると大気圧に対して、揚液パイプの中が負圧に成り、大気圧の力で、液を上部に移送しています。1気圧は、水の場合、１０m移送出来ます。一段目1気圧としますと、二段目、三段目と高さが高くなり、気圧が低くなり移送力が弱まります。その為、揚液パイプから吸引圧入ポンプで吸引した空気を前段揚液パイプの上部の中に圧入する事で前段揚液パイプの内部圧力を高め、移送力の低下を防ぎ、更に強化します。
【発明の効果】
【００１１】
ビル、マンションや工場など液体を高所に移送する時にポンプの力を借りているけど、本システムでは、僅かな電力で液を高所に移送でき、省エネ効果が上がる。
【図面の簡単な説明】
【００１２】
【図１】揚液のイメージ図    全体
【図２】揚液のイメージ図    一段目途中
【図３】揚液のイメージ図    一段目満管
【図４】揚液のイメージ図    一段目開放弁開
【図５】揚液のイメージ図    二段目途中
【図６】揚液のイメージ図    二段目満管
【図７】揚液のイメージ図    二段目開放弁開
【図８】揚液のイメージ図    三段目途中
【図９】揚液のイメージ図    三段目満管
【図１０】揚液のイメージ図    三段目開放弁開    四段目以降へ
【符号の説明】
【００１３】
１            逆止弁
２            吸引ポンプ
３            開放弁
４            逆止弁
５            吸引圧入ポンプ
６            開放弁
７            逆止弁
８            吸引圧入ポンプ
９            開放弁
１０          逆止弁
【発明を実施するための形態】
【００１４】
本発明の実施の形態を図に基づいて説明します。
図１の図面は、液移送の全体イメージ図です。液槽に液が入れられています。一段目は、下面が開放の揚液パイプの下面側に逆止弁１を取付けし、液の中に立てます。揚液パイプの先端部に吸引ポンプ２と開放弁３を取り付けます。二段目は、前段の揚液パイプの上部の中から揚液パイプを立ち上げます。揚液パイプの下部には、逆止弁４を取付し、上部には、吸引圧入ポンプ５と開放弁６を取付けします。３段目以降は、同じく揚液パイプ、逆止弁７、吸引圧入ポンプ８と開放弁９を順次取り付けます。
【００１５】
一段目揚液ポンプの吸引ポンプ２を起動して、揚液パイプの中の空気を吸引し、真空に近づくと、揚液パイプの中を液が上昇します。上昇高さは、液の種類で様々です。
液体が水の場合、1気圧の下で、揚水パイプの中を真空にすると約１０m水が揚水パイプの中を上がります。図２は、その途中の状態で、液面が、半分位上がってきています。図３は、満管に成り、吸引ポンプ２を停止していますが、揚液パイプの中が、負圧になっていますので、液は、其の侭停止しています。図４は、開放弁３を開けた状態です。開放弁３から空気が入ってきて、揚液パイプの中は、負圧ではなく、大気圧に成ります。液は、空気が入ってきて、下がろうとしますが、逆止弁１が、閉となり、液は、上部に止まり、一段目の位相が完了します。
【００１６】
二段目揚液ポンプの吸引圧入ポンプ５を起動して、揚液パイプの中の空気を吸引し、真空に近づくと、揚液パイプの中を液が上昇します。上昇高さは、液の種類で様々です。吸引した空気は、一段目の揚水パイプ上部に圧入して内部圧力を上げます。図５は、その途中の状態で、液面が、半分位上がってきています。図６は、満管に成り、吸引圧入ポンプ５を停止していますが、揚液パイプの中が、負圧になっていますので、液は、其の侭停止しています。図７は、開放弁６を開けた状態です。開放弁６から空気が入ってきて、揚液パイプの中は、負圧ではなく、大気圧に成ります。液は、空気が入ってきて、下がろうとしますが、逆止弁４が、閉となり、液は、上部に止まり、二段目の位相が完了します。
【００１７】
三段目揚液ポンプの吸引圧入ポンプ８を起動して、揚液パイプの中の空気を吸引し、真空に近づくと、揚液パイプの中を液が上昇します。上昇高さは、液の種類で様々です。吸引した空気は、二段目の揚水パイプ上部に圧入して内部圧力を上げます。図８は、その途中の状態で、液面が、半分位上がってきています。図９は、満管に成り、吸引圧入ポンプ８を停止していますが、揚液パイプの中が、負圧になっていますので、液は、其の侭停止しています。図１０は、開放弁９を開けた状態です。開放弁９から空気が入ってきて、揚液パイプの中は、負圧ではなく、大気圧に成ります。液は、空気が入ってきて、下がろうとしますが、逆止弁７が、閉となり、液は、上部に止まり、三段目の位相が完了します。
【００１８】
一段目揚液パイプは、一端部開放で前記一端部開放側に逆止弁１を有し、他端部密閉で、前記他端部側に吸引ポンプ２と開放弁３を有し、前記一段目揚液パイプは、液槽の中に前記一端部開放側を下にして立て、二段目以降の揚液パイプは、一端部開放で前記一端部開放側に逆止弁４を有し、他端部密閉で、前記他端部側に吸引圧入ポンプ５と開放弁６とを有し、前段揚液パイプの中に前記一端部開放側を下にして立て、周囲を密閉します。 
【００１９】
一段目揚液パイプの前記吸引ポンプ２を起動させ、前記一段目揚液パイプの空気を吸引し、前記一段目揚液パイプの中が真空に近く成り、大気と比較し、負圧となり、前記逆止弁１が、開状態になり、前記液槽の液が吸い上げられ、前記一段目揚液パイプが、満管に近づき、前記吸引ポンプ２を停止させ、前記開放弁３を開き、前記一段目揚液パイプの中に空気を引込み、前記液が、下がり初め前記逆止弁１が、閉と成り、前記液は、下がるのを止め、前記開放弁３を閉じ、二段目揚液パイプの前記吸引圧入ポンプ５を起動させ、前記二段目揚液パイプの空気を吸引し、前記二段目揚液パイプの中が真空に近く成り、大気と比較し、負圧となり、前記逆止弁４が、開状態になり、前記液が吸い上げられ、前記二段目揚液パイプが、満管に近づき、前記吸引圧入５ポンプを停止させ、前記開放弁６を開き、前記二段目揚液パイプの中に空気を引込み、前記液が、少し下がり、前記逆止弁４が、閉と成り、前記開放弁６を閉じ、三段目以降も同じ動きを繰り返し、前記液を高所へ移送します。
【００２０】
本システムは、揚液パイプの中の空気を抜き、真空に近づけると大気圧に対して、揚液パイプの中が負圧に成り、大気圧の力で、液を上部に移送しています。1気圧は、水の場合、１０m移送出来ます。一段目1気圧としますと、二段目、三段目と高さが高くなり、気圧が低くなり移送力が弱まります。その為、揚液パイプから吸引圧入ポンプで吸引した空気を前段揚液パイプの上部の中に圧入する事で前段揚液パイプの内部圧力を高め、移送力の低下を防ぎ、更に強化します。
【要約】 
【課題】
液体の移送は、ポンプで圧送する方法が、主流です。ポンプ以外で、液体を高所へ移送する方法を開発する事を課題とします。
【解決手段】  
本発明の実施の形態を図に基づいて説明します。
図１の図面は、液移送の全体イメージ図です。液槽に液が入れられています。一段目は、下面が開放の揚液パイプの下面側に逆止弁１を取付けし、液の中に立てます。揚液パイプの先端部に吸引ポンプ２と開放弁３を取り付けます。二段目は、前段の揚液パイプの上部の中から揚液パイプを立ち上げます。揚液パイプの下部には、逆止弁４を取付し、上部には、吸引圧入ポンプ５と開放弁６を取付けします。３段目以降は、同じく揚液パイプ、逆止弁７、吸引圧入ポンプ８と開放弁９を順次取り付けます。
【選択図】  図１【図１】
0005786208.tif 000002
【図２】
0005786208.tif 000003
【図３】
0005786208.tif 000004
【図４】
0005786208.tif 000005
【図５】
0005786208.tif 000006
【図６】
0005786208.tif 000007
【図７】
0005786208.tif 000008
【図８】
0005786208.tif 000009
【図９】
0005786208.tif 000010
【図１０】
0005786208.tif 000011